(57)【要約】【課題】  無線端末のユーザは、無線基地局装置が対応する無線パラメータの設定方式を予め知っておかなければならないため、操作性を損なうという問題があった。【解決手段】  複数の無線パラメータ設定方式の内、動作可能な方式を通知するとともに、複数の無線パラメータ設定方式の各動作状態に応じて、その通知する内容を変更する。また無線端末装置から要求された無線パラメータ設定方式の要求、及び、複数の無線パラメータ設定方式の各動作状態に応じて、複数の無線パラメータ設定方式のいずれかを選択し（５０３，５０４，５０５）、その選択した無線パラメータ設定方式に応じた設定処理を行う。【選択図】  図５
2008035126.tif 000002
【特許請求の範囲】
【請求項１】
無線端末装置との間で無線パラメータを設定する複数の無線パラメータ設定方式を実行可能な無線基地局装置であって、
前記複数の無線パラメータ設定方式の内、動作可能な方式を通知する通知手段と、
前記複数の無線パラメータ設定方式の各動作状態に応じて前記通知手段で通知する内容を変更する変更手段と、
無線端末装置から要求された無線パラメータ設定方式の要求、及び、前記複数の無線パラメータ設定方式の各動作状態に応じて前記複数の無線パラメータ設定方式のいずれかを選択する選択手段と、
前記選択手段により選択した無線パラメータ設定方式に応じた設定処理を行う無線パラメータ設定処理手段と、
を有することを特徴とする無線基地局装置。
【請求項２】
前記通知手段は、前記無線基地局装置が定常的に送信する報知信号、或は前記無線端末装置が送信する検索要求への応答信号によって通知することを特徴とする請求項１に記載の無線基地局装置。
【請求項３】
前記複数の無線パラメータ設定方式の内、特定の無線パラメータ設定方式を有効にするための指示手段を更に有し、
前記変更手段は、前記指示手段による指示に応答して前記通知手段で通知する内容を変更することを特徴とする請求項１又は２に記載の無線基地局装置。
【請求項４】
無線接続された第１無線端末装置が存在するか否かを判定する判定手段と、
前記指示手段による指示があった場合に、前記判定手段で前記第１無線端末装置が存在すると判定されると、前記複数の無線パラメータ設定方式のうちネットワーク識別子を変更する必要のない無線パラメータ設定方式を選択する設定方式選択手段とを更に有することを特徴とする請求項３に記載の無線基地局装置。
【請求項５】
前記判定手段により、前記無線接続された第１無線端末装置が存在しない判定されると、前記複数の無線パラメータ設定方式の内、特定の無線パラメータ設定方式を有効にすることを通知するモードに遷移するモード遷移手段を更に有することを特徴とする請求項４に記載の無線基地局装置。
【請求項６】
第１ネットワーク識別子が隠蔽されて報知されないネットワークを構築する第１動作モードと、
前記指示手段による指示に応じて、前記第１動作モードを解除する隠蔽解除手段と、
前記複数の無線パラメータ設定方式を同時に動作可能な起動状態にあることを通知する第２動作モードに遷移するモード遷移手段と、
を更に有することを特徴とする請求項３に記載の無線基地局装置。
【請求項７】
前記第２動作モードに遷移した後に、動作状態にある無線パラメータ設定方式に第２無線端末装置から特定時間以内に起動開始要求があった場合に、前記第１ネットワーク識別子を再び隠蔽する第３動作モードに遷移する手段を更に有することを特徴とする請求項６に記載の無線基地局装置。
【請求項８】
無線端末装置との間で無線パラメータを設定する複数の無線パラメータ設定方式を実行可能な無線基地局装置の制御方法であって、
前記複数の無線パラメータ設定方式の内、動作可能な方式を通知する通知工程と、
前記複数の無線パラメータ設定方式の各動作状態に応じて前記通知工程で通知する内容を変更する変更工程と、
無線端末装置から要求された無線パラメータ設定方式の要求、及び、前記複数の無線パラメータ設定方式の各動作状態に応じて前記複数の無線パラメータ設定方式のいずれかを選択する選択工程と、
前記選択工程で選択した無線パラメータ設定方式に応じた設定処理を行う無線パラメータ設定処理工程と、
を有することを特徴とする無線基地局装置の制御方法。
【請求項９】
前記通知工程は、前記無線基地局装置が定常的に送信する報知信号、或は前記無線端末装置が送信する検索要求への応答信号によって通知することを特徴とする請求項８に記載の無線基地局装置の制御方法。
【請求項１０】
前記複数の無線パラメータ設定方式の内、特定の無線パラメータ設定方式を有効にするための指示工程を更に有し、
前記変更工程は、前記指示工程での指示に応答して前記通知工程で通知する内容を変更することを特徴とする請求項８又は９に記載の無線基地局装置の制御方法。
【請求項１１】
無線接続された第１無線端末装置が存在するか否かを判定する判定工程と、
前記指示工程による指示があった場合に、前記判定工程で前記第１無線端末装置が存在すると判定されると、前記複数の無線パラメータ設定方式のうちネットワーク識別子を変更する必要のない無線パラメータ設定方式を選択する設定方式選択工程とを更に有することを特徴とする請求項１０に記載の無線基地局装置の制御方法。
【請求項１２】
前記判定工程により、前記無線接続された第１無線端末装置が存在しない判定されると、前記複数の無線パラメータ設定方式の内、特定の無線パラメータ設定方式を有効にすることを通知するモードに遷移するモード遷移工程を更に有することを特徴とする請求項１１に記載の無線基地局装置の制御方法。
【請求項１３】
第１ネットワーク識別子が隠蔽されて報知されないネットワークを構築する第１動作モードと、
前記指示工程による指示に応じて、前記第１動作モードを解除する隠蔽解除工程と、
前記複数の無線パラメータ設定方式を同時に動作可能な起動状態にあることを通知する第２動作モードに遷移するモード遷移工程と、
を更に有することを特徴とする請求項１０に記載の無線基地局装置の制御方法。
【請求項１４】
前記第２動作モードに遷移した後に、動作状態にある無線パラメータ設定方式に第２無線端末装置から特定時間以内に起動開始要求があった場合に、前記第１ネットワーク識別子を再び隠蔽する第３動作モードに遷移する工程を更に有することを特徴とする請求項１３に記載の無線基地局装置の制御方法。
【発明の詳細な説明】
【技術分野】
【０００１】
本発明は、複数の無線パラメータ設定方式でのパラメータ設定が可能な無線基地局装置及びその制御方法に関する。
【背景技術】
【０００２】
無線ＬＡＮの普及に伴い、ユーザにとって煩雑なＳＳＩＤや暗号化方式、暗号鍵、認証方式、認証鍵等の無線ＬＡＮ通信に必要なパラメータの設定を簡単に行う無線パラメータ設定技術への要求が高まっている。
【０００３】
従来、無線ＬＡＮ機器のベンダは、各社が独自に開発した無線パラメータ設定技術を製品に搭載することにより、無線パラメータの設定を簡略化していた。このような無線パラメータの設定技術によれば、無線端末と無線基地局装置との間で、無線ＬＡＮ通信に必要なパラメータを無線で通信している（特許文献１）。
【０００４】
近年、異なるベンダの機器間で無線パラメータを簡単に設定できるように、無線パラメータ設定技術の標準規格の策定が進められている。そのため、今後、無線ＬＡＮ機器には、従来の機器のためのベンダ独自の無線パラメータの設定方式（以下、独自方式）と、今後普及が見込まれる標準規格の無線パラメータの設定方式（以下、標準方式）の双方が搭載されることが予想される。
【特許文献１】特開２００４−２１５２３２号公報
【発明の開示】
【発明が解決しようとする課題】
【０００５】
上述の独自方式と標準方式のそれぞれは、互いに異なる設定アルゴリズムに基づいて、無線基地局装置と、それに接続される無線端末との間で無線パラメータを設定している。このような標準方式と独自方式の無線パラメータ設定方式を備えた無線基地局装置において、無線端末との間で無線パラメータを設定する場合には、その無線端末が対応している無線パラメータの設定方式を無線基地局装置で起動する必要がある。このため、その無線基地局装置で各設定方式を選択するために複数のボタン等が必要になる。また無線端末のユーザは、無線基地局装置が対応する無線パラメータの設定方式を予め知っておかなければならないため、操作性を損なうという問題があった。
【０００６】
本発明の目的は、上記従来の問題点を解決することにある。
【０００７】
本願発明の特徴は、無線基地局装置が複数の無線パラメータの設定方式を有する場合でも、無線パラメータの設定時に各設定方式の選択操作を行う必要がなく、これらの複数の無線パラメータ設定方式の中から容易に設定方式を選択して無線パラメータを設定できる技術を提供することを目的とする。
【課題を解決するための手段】
【０００８】
上記目的を達成するために本発明の一態様に係る無線基地局装置は以下のような構成を備える。即ち、
無線端末装置との間で無線パラメータを設定する複数の無線パラメータ設定方式を実行可能な無線基地局装置であって、
前記複数の無線パラメータ設定方式の内、動作可能な方式を通知する通知手段と、
前記複数の無線パラメータ設定方式の各動作状態に応じて前記通知手段で通知する内容を変更する変更手段と、
無線端末装置から要求された無線パラメータ設定方式の要求、及び、前記複数の無線パラメータ設定方式の各動作状態に応じて前記複数の無線パラメータ設定方式のいずれかを選択する選択手段と、
前記選択手段により選択した無線パラメータ設定方式に応じた設定処理を行う無線パラメータ設定処理手段と、
を有することを特徴とする。
【０００９】
上記目的を達成するために本発明の一態様に係る無線基地局装置の制御方法は以下のような工程を備える。即ち、
無線端末装置との間で無線パラメータを設定する複数の無線パラメータ設定方式を実行可能な無線基地局装置の制御方法であって、
前記複数の無線パラメータ設定方式の内、動作可能な方式を通知する通知工程と、
前記複数の無線パラメータ設定方式の各動作状態に応じて前記通知工程で通知する内容を変更する変更工程と、
無線端末装置から要求された無線パラメータ設定方式の要求、及び、前記複数の無線パラメータ設定方式の各動作状態に応じて前記複数の無線パラメータ設定方式のいずれかを選択する選択工程と、
前記選択工程で選択した無線パラメータ設定方式に応じた設定処理を行う無線パラメータ設定処理工程と、
を有することを特徴とする。
【発明の効果】
【００１０】
本発明によれば、複数の無線パラメータ設定方式を備えた無線基地局装置がこれら複数の無線パラメータ設定方式を並行して動作させることが可能になるため、ユーザの明示的な無線パラメータ設定方式の選択を不要にできる。
【００１１】
また、無線パラメータ設定モード動作時に、接続されている無線端末装置が、できるだけ切断或はその通信を中断されることがないようにしてパラメータを設定できる。
【発明を実施するための最良の形態】
【００１２】
以下、添付図面を参照して本発明の好適な実施の形態を詳しく説明する。尚、以下の実施の形態は特許請求の範囲に係る本発明を限定するものでなく、また本実施の形態で説明されている特徴の組み合わせの全てが本発明の解決手段に必須のものとは限らない。
【００１３】
［実施の形態１］
図１は、本発明の実施の形態に係る無線通信システムを説明する概略図である。
【００１４】
この無線通信システムは、無線基地局装置１０１と、第１無線端末装置１０２と、第２無線端末装置１０３とを有している。設定ボタン１０４は、この無線基地局装置１０１の操作部である。無線基地局装置１０１と、第１無線端末装置１０２と、第２無線端末装置１０３は、ＩＥＥＥ８０２.１１無線ＬＡＮ通信機能を備えており、無線ＬＡＮインフラストラクチャ（以下、インフラ）通信により無線通信を行う。また無線基地局装置１０１は有線ＬＡＮ１０５に接続されている。
【００１５】
尚、無線端末装置の数は図１に限るものでなく、より多くの無線端末装置が含まれていてもよいことはもちろんである。
【００１６】
ここで第１無線端末装置１０２は第２無線パラメータ設定方式に対応しており、第２無線端末装置１０３は第３無線パラメータ設定方式に対応しているものとする。また無線基地局装置１０１は、第１、第２及び第３無線パラメータ設定方式に対応している。
【００１７】
尚、ここで第１無線パラメータ設定方式は、無線基地局装置１０１を操作することなく、無線端末が無線基地局装置１０１から無線パラメータを受信して無線パラメータを設定する方式である。この方式では、無線基地局装置１０１の操作が不要となるが、無線端末でＩＤ入力等の操作を行う必要がある。また第２及び第３無線パラメータ設定方式は、無線基地局装置１０１の設定ボタン１０４を操作し、無線端末装置が無線基地局装置１０１より無線パラメータを受信することで無線パラメータを設定する方式である。
【００１８】
ここに挙げたいずれかの無線パラメータ設定方式によって、無線パラメータを受信した無線端末装置１０２，１０３は、無線基地局装置１０１を中継して有線ＬＡＮ１０５の先に接続されている機器と通信を行うことが可能になる。
【００１９】
以下に説明する本実施の形態では、無線基地局装置１０１において第１、第２及び第３無線パラメータ設定方式が動作している状況で、無線端末装置１０３との間で第３無線パラメータ設定方式を実施する場合における、無線基地局装置１０１の動作について説明する。
【００２０】
図２は、本実施の形態に係る無線基地局装置１０１の構成を示すブロック図である。
【００２１】
図において、制御部２０１は、この無線基地局装置１０１全体の動作を制御している。ＲＯＭ２０２は、制御部２０１のＣＰＵ（不図示）により実行される制御命令、即ち、プログラムや各種データを記憶している。ＲＡＭ２０３は、制御部２０１による制御処理時に各種データを記憶するワークエリアを提供するとともに、後述する無線パラメータ調整テーブル等を記憶している。無線通信処理部２０４は、無線ＬＡＮ８０２．１１での通信制御を行う。２０５はアンテナである。アンテナ制御部２０６は、アンテナ２０５を介した信号の送受信を制御している。電源部２０７は、無線基地局装置１０１の各部に電力を供給している。有線ＬＡＮインタフェース部２０８は、有線ＬＡＮ１０５とのインターフェースを制御している。
【００２２】
無線パラメータ設定ボタン１０４は、ユーザにより操作され、無線パラメータの設定処理を起動させるためのボタンである。第１無線パラメータ設定処理部２１０は、第１無線パラメータの設定処理を制御する。第２無線パラメータ設定処理部２１１は、第２無線パラメータの設定処理を制御する。第３無線パラメータ設定処理部２１２は、第３無線パラメータの設定処理を制御する。変更処理部２１３は、現在起動している無線パラメータの設定方式に応じて、無線の報知信号や、検索要求への応答信号を変更するように制御する。
【００２３】
図３は、本実施の形態に係る第１無線端末装置１０２の構成を示すブロック図である。
【００２４】
図において、制御部３０１は、この第１無線端末装置１０２全体の動作を制御している。ＲＯＭ３０２は、制御部３０１のＣＰＵ（不図示）により実行される制御命令、即ち、プログラムや各種データを記憶している。ＲＡＭ３０３は、制御部３０１による制御処理時に各種データを記憶するワークエリアを提供する。無線通信処理部３０４は、無線ＬＡＮ８０２．１１での通信制御を行う。３０５はアンテナである。アンテナ制御部３０６は、アンテナ３０５を介したデータの送受信を制御している。電源部３０７は、この第１無線端末装置１０２の各部に電力を供給している。通信インタフェース（Ｉ／Ｆ）部３０８は、無線以外の通信インターフェースで、例えばＵＳＢやＩＥＥＥ１３９４等が考えられる。３０９はユーザインタフェース部である。第２無線パラメータ設定処理部３１０は、第２無線パラメータの設定処理を制御する。
【００２５】
図４は、本実施の形態に係る第２無線端末装置１０３の構成を示すブロック図である。
【００２６】
図において、制御部４０１は、この第１無線端末装置１０３全体の動作を制御している。ＲＯＭ４０２は、制御部４０１のＣＰＵ（不図示）により実行される制御命令、即ち、プログラムや各種データを記憶している。ＲＡＭ４０３は、制御部４０１による制御処理時に各種データを記憶するワークエリアを提供する。無線通信処理部４０４は、無線ＬＡＮ８０２．１１の通信制御を行う。４０５はアンテナである。アンテナ制御部４０６は、アンテナ４０５を介したデータの送受信を制御している。電源部４０７は、この第２無線端末装置１０３の各部に電力を供給している。通信インタフェース（Ｉ／Ｆ）部４０８は、無線以外の通信インターフェースで、例えばＵＳＢやＩＥＥＥ１３９４等が考えられる。４０９はユーザインタフェース部である。第３無線パラメータ設定処理部４１０は、第３無線パラメータの設定処理を制御する。
【００２７】
図５は、本実施の形態に係る無線基地局装置１０１の変更処理部２１３により制御される各無線パラメータ方式の状態遷移図である。
【００２８】
無線基地局装置１０１の電源が投入される（PowerON）と、制御部２０１は第１無線パラメータ設定処理部２１０を制御して、変更処理部２１３に報知信号、検索要求に対する応答信号の変更要求を行う。これにより第１無線パラメータ設定方式を起動可能な状態である「設定方式１待機状態」５０１になる。その状態５０１から、無線パラメータ設定ボタン１０４が押下されると、制御部２０１は、第２無線パラメータ設定処理部２１１と第３無線パラメータ設定処理部２１２とを制御し、変更処理部２１３に報知信号、応答信号を変更するように要求する。これにより第２及び第３無線パラメータ設定方式がともに起動可能な状態である「設定方式２及び設定方式３待機状態」５０２になる。
【００２９】
この状態５０２で無線基地局装置１０１が、無線端末装置から第２無線パラメータ設定方式を開始する「設定方式２開始要求」を受信すると「設定方式２動作状態」５０３になり、無線パラメータの設定処理に必要なメッセージ処理を行う。また状態５０２で、第３無線パラメータ設定方式を開始する「設定方式３開始要求」を受信すると「設定方式３動作状態」５０４となり、無線パラメータの設定処理に必要なメッセージ処理を行う。これら状態５０３，５０４での処理が終了すれば、第１無線パラメータ設定方式が起動可能な状態である最初の「設定方式１待機状態」５０１に戻る。
【００３０】
また「設定方式１待機状態」５０１で、無線端末装置から、第１無線パラメータ設定方式を開始する「設定方式１開始要求」を受信すると「設定方式１動作状態」５０５になる。この状態５０５では、パスワードの入力やメッセージ処理を行って無線パラメータ処理を行う。この状態では、無線端末装置が無線基地局装置１０１から無線パラメータを受信して無線パラメータを設定する。
【００３１】
図６は、本実施の形態に係る無線基地局装置１０１の変更処理部２１３が、設定方式の状態に応じて切り替えを行う無線報知信号、及び検索要求に対する応答信号のフォーマットを説明する図である。
【００３２】
無線基地局装置１０１の設定状態が「設定方式１待機状態」５０１或は「設定方式１動作状態」５０５の場合、報知／検索応答信号フォーマットは、タイムスタンプを表すTimeStamp、報知信号の送信間隔を表すBeaconIntervalを含んでいる。更に、ネットワーク識別子には、通常動作している識別子と同様の値を表す「通常動作ＥＳＳＩＤ」が設定されている。また第１無線パラメータ設定方式を表す付加情報があることを示すElementID（設定拡張）及び「設定方式１可能付加情報」が設定されている。
【００３３】
また無線基地局装置１０１の設定状態が「設定方式２及び設定方式３待機状態」５０２の場合は、報知／検索応答信号フォーマットは、タイムスタンプを表すTimeStamp、報知信号の送信間隔を表すBeaconIntervalを含んでいる。またネットワーク識別子には、第２無線パラメータ方式が動作していることを示す識別子である「設定方式２設定用ＥＳＳＩＤ」が設定されている。更に、第３無線パラメータ設定方式を表す付加情報があることを示すElementID（設定拡張）及び「設定方式３可能付加情報」が設定されている。
【００３４】
また無線基地局装置１０１の設定状態が「設定方式２動作状態」５０３の場合は、報知／検索応答信号フォーマットは、タイムスタンプを表すTimeStamp、報知信号の送信間隔を表すBeaconIntervalを含んでいる。またネットワーク識別子には、第２無線パラメータ方式が動作していることを示す識別子である「設定方式２設定用ＥＳＳＩＤ」が設定されている。尚、ここでは第３無線パラメータ設定方式を表す付加情報が削除されている。
【００３５】
また無線基地局装置１０１の設定状態が「設定方式３動作状態」５０４の場合は、報知／検索応答信号フォーマットは、タイムスタンプを表すTimeStamp、報知信号の送信間隔を表すBeaconIntervalを含む。又無線ネットワークが既に構成されているため、切断を防ぐために、ネットワーク識別子には、第２無線パラメータ方式が動作していることを示す識別子である「設定方式２設定用ＥＳＳＩＤ」がそのまま設定されている。更に、第３無線パラメータ設定方式を表す付加情報があることを示すElementID（設定拡張）及び「設定方式３可能付加情報」が設定されている。
【００３６】
図７及び図８は、本実施の形態１に係る無線基地局装置１０１による無線パラメータ設定処理を説明するフローチャートである。尚、この処理を実行するプログラムはＲＯＭ２０２に記憶されており、制御部（ＣＰＵ）２０１による制御の下に実行される。
【００３７】
まず図７のステップＳ１０１で、変更処理部２１３に対して、報知／検索応答信号を「設定方式１待機状態」５０１のフォーマットに変更するように指示する。これによりステップＳ１０２で、無線基地局装置１０１の状態を「設定方式１待機中」に設定する。次にステップＳ１０３で、無線端末装置から設定方式１の開始要求を表す信号を受信したかどうかを判断する。その信号を受信しないときはステップＳ１０５に進むが、その信号を受信した場合はステップＳ１０４に進み、状態を「設定方式１動作状態」５０５に変更してステップＳ１０５に進む。ステップＳ１０５で、状態が「設定方式１動作中」５０５であるかどうかを判定し、そうであればステップＳ１０７に進み、設定方式１での処理を行う。即ち、ステップＳ１０７では、無線端末装置から設定情報通知メッセージ要求を受信したかどうかを判断し、受信しないときはステップＳ１０４に戻る。一方ステップＳ１０７で、その要求を受信するとステップＳ１０８に進み、パスワードの要求の有無を確認する。ここでパスワードが要求された場合はステップＳ１０９に進んでパスワードの入力を待つ。こうしてパスワードが入力されるとステップＳ１１０に進み、そのパスワードが、その無線端末装置のパスワードと一致しているか調べる。ここで一致していなければステップＳ１１４に進み、設定が失敗したと判断してステップＳ１０１に戻る。一方、ステップＳ１１０でパスワードが一致していればステップＳ１１１に進み、パラメータ設定情報通知メッセージの応答を送信する。そしてステップＳ１１２で、パラメータ設定方式１の設定が完了したかどうかを判定し、完了していないときはステップＳ１０４に戻って前述の処理を実行する。こうして設定が完了するとステップＳ１１３に進んで設定成功となり、再びステップＳ１０１の開始状態に戻る。
【００３８】
又ステップＳ１０５で、状態が「設定方式１動作状態」５０５でない時はステップＳ１０６に進み、設定ボタン１０４が押下されているかどうかを判断する。ここで設定ボタン１０４が押下されていないとステップＳ１０３に戻るが、押下されているとステップＳ１１５に進み、報知信号と検索応答信号を「設定方式２及び方式３待機状態」５０２に変更する。つまり、ＥＳＳＩＤを「設定方式２設定用ＥＳＳＩＤ」に変更し、かつ設定方式３の付加情報を追加する。次にステップＳ１１６に進み、状態を「設定方式２及び設定方式３待機状態」５０２に変更してステップＳ１１７（図８）に進む。
【００３９】
図８のステップＳ１１７で、無線端末装置からの設定開始要求に設定方式３の付加情報があるかどうかを判定し、付加情報があればステップＳ１１８に進み、状態を「設定方式３動作状態」５０４に設定する。そしてステップＳ１１９で、タイマによる計時を開始する。次にステップＳ１２０で、そのタイマによるタイムアウトが発生したかどうかを判断し、タイムアウトであればステップＳ１２５に進み、設定を失敗としてステップＳ１０１の開始状態に戻る。
【００４０】
一方、ステップＳ１２０でタイムアウトしていなければステップＳ１２１に進み、設定情報の通知要求を無線端末装置から受信したかどうかを判断する。ここでその要求を受信していると判断するとステップＳ１２２に進み、その要求に対して応答メッセージを送信して設定されている設定方式を通知する。そしてステップＳ１２３で、設定方式３の設定の完了を待つ。こうして設定が完了するとステップＳ１２４に進み、設定成功としてステップＳ１０１に戻る。尚、ステップＳ１２３で設定が完了していないときはステップＳ１２０に戻り、前述の処理を実行する。
【００４１】
またステップＳ１１７で、無線端末装置の設定開始要求に設定方式３の付加情報がないと判断するとステップＳ１２６に進み、状態を「設定方式２動作情報」５０３に設定する。次にステップＳ１２７に進み、タイマによる計時を開始し、次にステップＳ１２８で、報知信号及び検索応答の設定方式３設定用の付加情報を削除する。次にステップＳ１２９に進み、タイムアウトが発生したかを調べ、タイムアウトが発生していなければステップＳ１３０に進み、設定情報通知要求を受信したかどうかをみる。その要求を受信するとステップＳ１３１に進み、その通知要求に対する応答メッセージを送信する。そしてステップＳ１３２で、設定方式２の設定が完了したかを判定する。ここで完了していないときはステップＳ１２９に戻って前述の処理を実行するが、設定が完了したと判断するとステップＳ１３３に進み、設定成功としてステップＳ１０１の開始状態に戻る。またステップＳ１２９で、タイムアウトが発生するとステップＳ１３４に進み、設定が失敗としてステップＳ１０１の開始状態に戻る。
【００４２】
図９は、本実施の形態に係る無線端末装置１０３が無線基地局装置１０１から第３無線パラメータ設定方式で無線パラメータを獲得する場合の処理を説明するフローチャートである。尚、この処理を実行するプログラムはＲＯＭ４０２に記憶されており、制御部４０１のＣＰＵの制御の下に実行される。
【００４３】
まずステップＳ２０１で、無線パラメータ設定方式３を動作させる。次にステップＳ２０２に進み、設定方式３用の検索要求信号を無線基地局装置１０１に送信する。次にステップＳ２０３に進み、無線基地局装置１０１から、設定方式３の検索応答信号を受信したかどうかを判定し、その検索応答信号を受信していないと判定するとステップＳ２０２に戻る。ここで、その検索応答信号を受信したと判断するとステップＳ２０４に進み、設定方式３によるパラメータ交換を開始するプロトコルを起動する。次にステップＳ２０５に進み、パラメータ交換が終了したかどうかを調べ、終了したときはステップＳ２０６に進み、無線パラメータを保存して終了する。
【００４４】
尚、ここでは無線端末装置１０３が検索要求を出す場合で説明したが、検索要求を出さずに無線基地局装置１０１の報知信号を受信し、第３無線パラメータ方式に対応していることを認識した場合に、パラメータの交換を開始しても良い。
【００４５】
このように本実施の形態１によれば、第１、第２及び第３無線パラメータ設定方式に対応している無線基地局装置１０１において、無線基地局装置１０１の設定ボタン１０４を操作することにより、第１及び第２無線端末装置はそれぞれ第２及び第３無線パラメータ設定方式で無線パラメータを設定することができる。
【００４６】
［実施の形態２］
次に本発明の実施の形態２を説明する。この実施の形態２では、無線基地局装置１０１に無線端末装置が通常接続中の場合、設定ボタン１０４が押下されると別の無線端末装置と無線パラメータの設定を行う場合の動作について説明する。尚、この実施の形態２に係る無線通信システム及びそのシステムに含まれる無線基地局装置、無線端末装置の構成は前述の実施の形態１と同様であるため、その説明を省略する。
【００４７】
図１０は、本実施の形態２に係る無線基地局装置１０１の変更処理部２１３が、設定方式の状態に応じて切り替えを行う報知信号及び応答信号のフォーマットを説明する図である。
【００４８】
「パターン１（通常動作中）」は、無線基地局装置１０１の設定状態が、接続している無線端末装置が存在せずに、通常動作中にある場合の、報知信号、応答信号フォーマットである。これは、タイムスタンプを表すTimeStamp、報知信号の送信間隔を表すBeaconIntervalを含む。またネットワーク識別子は、通常動作している識別子である「通常動作ＥＳＳＩＤ」が設定されている。
【００４９】
「パターン２」（接続中端末有り）は、無線基地局装置１０１の設定状態が、既に接続中の無線端末装置が存在している状態で、設定ボタン１０４が押下された場合の信号フォーマットを示している。これは、タイムスタンプを表すTimeStamp、報知信号の送信間隔を表すBeaconIntervalを含んでいる。またネットワーク識別子は、通常動作している識別子である「通常動作ＥＳＳＩＤ」を含み、更に、第３無線パラメータ設定方式を表す付加情報があることを示すElementID（設定拡張）及び「設定方式３可能付加情報」を含んでいる。
【００５０】
「パターン３」（接続中端末無し）は、無線基地局装置１０１の設定状態が接続中の無線端末装置が存在しない状態で、設定ボタン１０４が押下された場合の報知／探索応答信号フォーマットを示す。これは、タイムスタンプを表すTimeStamp、報知信号の送信間隔を表すBeaconIntervalを含む。またネットワーク識別子には、第２無線パラメータ方式が動作していることを示す識別子である「設定方式２の設定用ＥＳＳＩＤ」が設定され、更に、第３無線パラメータ設定方式を表す付加情報を有している。
【００５１】
「パターン４」（タイムアウト）は、無線基地局装置１０１の設定状態が、第２無線パラメータ設定方式が動作している場合の信号フォーマットである。これは、タイムスタンプを表すTimeStamp、報知信号の送信間隔を表すBeaconInterval、ネットワーク識別子には、第２無線パラメータ方式が動作していることを示す識別子である「設定方式２設定用ＥＳＳＩＤ」を含んでいる。
【００５２】
図１１は、本発明の実施の形態２に係る無線基地局装置１０１の無線パラメータ設定方式を説明するフローチャートである。尚、この処理を実行するプログラムはＲＯＭ２０２に記憶されており、制御部２０１のＣＰＵの制御の下に実行される。
【００５３】
まずステップＳ３０１で、通常の報知信号となるパターン１で定期的に信号を送信する。次にステップＳ３０２に進み、ユーザが設定ボタン１０４を押下したかどうかを判断し、ボタン１０４が押下されるとステップＳ３０３に進み、無線端末装置が既に接続中かどうかを調べる。ステップＳ３０３で接続中の無線端末があればステップＳ３０４に進み、接続端末有フラグ（f_Assocを真（TRUE）に設定）をオンにする。一方、ステップＳ３０３で、接続中の端末がなければ接続端末有フラグ（f_Assocを偽(FALSE)に設定）をオフにしてステップＳ３０６に進む。
【００５４】
ステップＳ３０６では、接続端末有フラグがオンかどうかを調べ、オンであればステップＳ３０７に進み、第３無線パラメータ設定方式（設定方式３）を受付可能にするために報知信号をパターン２（設定方式２，３待機状態）に変更して送信する。次にステップＳ３０８で、タイマを起動する。この時点で既に接続中の無線端末は、その接続状態が継続される。次にステップＳ３０９に進み、設定方式３により無線端末装置から設定要求があったか否かを判断する。ここで設定要求があったと判断するとステップＳ３１０に進み、設定方式３による設定プロトコル処理等を行う。次にステップＳ３１１に進み、設定方式３による設定が完了したかどうか調べ、完了していればステップＳ３１２に進み、タイマによる計時を停止してステップＳ３１８に進む。ステップＳ３１８では、報知信号を最初のパターン１（通常動作中）に戻して終了する。
【００５５】
またステップＳ３０９で、設定要求がない場合はステップＳ３１３に進み、設定方式３により無線端末装置から設定要求を待つ時間が経過してタイムアウトが発生したかをみる。ここでタイムアウトが発生した場合はステップＳ３１４に進み、報知信号をパターン４（設定方式３設定開始状態））に変更して、無線端末装置に送信する。そしてステップＳ３１５で、第２無線パラメータ設定方式（方式２）による設定要求を待つ。ここで設定方式２の設定要求があればステップＳ３１６に進み、その設定方式２による設定プロトコル処理等を行う。そしてステップＳ３１７で、その設定方式２による設定が完了したかどうか調べ、完了していればステップＳ３１８に進み、報知信号を最初のパターン１に戻して終了する。
【００５６】
またステップＳ３０６で、無線基地局装置１０１に無線端末装置が接続されていない状態（接続端末有フラグがオフ）の場合はステップＳ３１９に進み、設定方式２或は設定方式３の両方とも許容するために、報知信号をパターン３で送信する。次にステップＳ３２０に進み、無線端末装置から設定方式２或は設定方式３による設定要求を受信したかどうかを調べ、その設定要求を受信するとステップＳ３２１に進み、それぞれの設定方式２或は設定方式３のプロトコルに従って設定処理を実行する。そしてステップＳ３２２で、設定処理が完了したかを判断し、完了するとステップＳ３１８に進み、報知信号を最初のパターン１に戻して終了する。
【００５７】
このように本実施の形態２によれば、無線基地局装置１０１が複数の無線パラメータ方式を有していて、ある設定方式は、ネットワーク識別子を、その設定方式に対応する特定の値に変更して、その設定モードを無線端末装置に通知する。また別の設定方式は、報知信号に付加情報を載せて送信することで、設定モードを無線端末装置に通知することができる。この際、既に、ある無線端末が無線基地局装置と接続状態であれば、ネットワーク識別子を特定の値に変更した時点でこの接続状態の端末は切断されてしまう。そこで本実施の形態２のような制御を行うことで、無線端末装置が接続されている場合には、なるべく切断させずに通信を継続可能にし、かつ複数の無線パラメータの設定を実現できるという効果が得られる。
【００５８】
［実施の形態３］
次に本発明の実施の形態３について説明する。無線基地局装置１０１がネットワーク識別子を不特定多数の無線端末装置に秘密にしているステルスモードで動作している場合の無線パラメータ設定の動作について説明する。尚、この実施の形態３に係る無線通信システム及びそのシステムに含まれる無線基地局装置、無線端末装置の構成は前述の実施の形態１と同様であるため、その説明を省略する。
【００５９】
図１２は、本発明の実施の形態３に係る無線基地局装置１０１の変更処理部２１３が、設定方式の状態に応じて切り替えを行う報知信号及び検索応答信号のフォーマットを説明する図である。
【００６０】
「パターン１」（通常動作中）は、無線基地局装置１０１の設定状態が「通常動作状態」にある場合の信号フォーマットを示す。これは、タイムスタンプを表すTimeStamp、報知信号の送信間隔を表すBeaconIntervalを含んでいる。またネットワーク識別子には、ステルスモードのため、何も設定されていない。
【００６１】
「パターン２」は、無線基地局装置１０１の設定状態が、設定ボタン１０４が押下された場合に第２無線パラメータ設定方式（方式２）及び第３無線パラメータ設定方式（方式３）が並行動作している場合の信号フォーマットを示す。これはタイムスタンプを表すTimeStamp、報知信号の送信間隔を表すBeaconIntervalを含む。またネットワーク識別子には、「設定方式２設定用のＥＳＳＩＤ」が設定され、更に、設定方式３を表す付加情報があることを示すElementID（設定拡張）、及び「設定方式３可能付加情報」を含んでいる。
【００６２】
「パターン３」は、無線基地局装置１０１の設定状態が、設定方式２の設定が開始された状態の信号フォーマットを示している。これは、タイムスタンプを表すTimeStamp、報知信号の送信間隔を表すBeaconIntervalを含んでいる。またネットワーク識別子には、第２無線パラメータ方式が動作していることを示す識別子である「設定方式２設定用ＥＳＳＩＤ」が設定されている。
【００６３】
更に「パターン４」は、無線基地局装置１０１の設定状態が、設定方式３の設定が開始された状態の信号フォーマットを示している。これは、タイムスタンプを表すTimeStamp、報知信号の送信間隔を表すBeaconIntervalを含んでいる。またネットワーク識別子には、ステルスモードであるため何も設定されていない（ＮＵＬＬ）。更には、設定方式３を表す付加情報があることを示すElementID（設定拡張）及び「設定方式３可能付加情報」が含まれている。
【００６４】
図１３は、本実施の形態３に係る無線基地局装置１０１の無線パラメータの設定方式を説明するフローチャートである。尚、この処理を実行するプログラムはＲＯＭ２０２に記憶されており、制御部２０１のＣＰＵの制御の下に実行される。
【００６５】
まずステップＳ４０１で、通常の報知信号でステルスモードとなるパターン１で定期的に信号を送信している。次にステップＳ４０２で、設定ボタン１０４が押下されたかどうかを判定し、設定ボタン１０４が押下されるとステップＳ４０３に進み、設定期間を示すタイマを起動する。次にステップＳ４０４に進み、報知信号をパターン２（設定方式２，３待機状態）に変更して、一旦ステルスモードから抜ける。
【００６６】
次にステップＳ４０５で、ステップＳ４０３で起動したタイマによるタイムアウトが発生したかどうかをみる。タイムアウトが発生しないときはステップＳ４０７に進み、エラー表示となるまで、次の無線パラメータの設定を行う。
【００６７】
タイムアウトが発生するとステップＳ４０６に進み、設定方式２により無線端末装置から設定要求があったか調べる。ここで設定要求を受信するとステップＳ４０８に進み、報知信号を設定方式２のみを許容するパターン３（設定方式２の設定待機）に変更して送信する。次にステップＳ４０９で、設定方式２による設定プロトコル処理が完了するのを待ち、完了するとステップＳ４１０に進み、タイマによる計時を停止する。そしてステップＳ４１１に進み、報知信号を最初のパターン１に戻して終了する。
【００６８】
またステップＳ４０６で、設定方式２により無線端末装置から設定要求が無いときはステップＳ４１２に進み、設定方式３で無線端末装置から設定要求があったかどうかを判断する。その設定要求が無いときはステップＳ４０５に進むが、その設定要求があればステップＳ４１３に進み、ネットワーク識別子をステルスモードで、かつ設定方式３を表す付加情報であるパターン４（設定方式３の設定開始）に変更して報知信号を送信する。次にステップＳ４１４で、設定方式３による設定プロトコル処理が完了するのを待ってステップＳ４１０に進み、タイマを停止する。そしてステップＳ４１１に進み、報知信号を最初のパターン１に戻して、この処理を終了する。
【００６９】
このように本実施の形態３によれば、無線基地局装置１０１がステルスモードで設定されていても、複数の無線パラメータ方式による設定を可能にできる。かつ、無線端末装置と設定方式２で設定が開始された場合には、報知信号から設定方式３の付加情報を取り除くことにより、設定方式３での設定を他の無線端末装置から要求されるのを防止できる。更に、設定方式３で設定が開始された場合には、報知信号のネットワーク識別子をステルスモードにすることにより、設定方式２での設定を他の無線端末から要求されるのを防止できる。このようにセキュリティの面から一台ずつ設定を確認しながら設定を行いたい場合等に、別の設定方式からの設定を抑制させることができるという効果が得られる。
【００７０】
［実施の形態４］
次に本発明の実施の形態４を説明する。この実施の形態４では、無線基地局装置１０１がネットワーク識別子を不特定多数の無線端末装置に秘密にしたステルスモードで動作している。そして、ある無線端末装置が通常接続中の場合に設定ボタン１０４が押下されて別の無線端末装置と無線パラメータの設定を行う場合の動作について説明する。尚、この実施の形態４に係る無線通信システム及びそのシステムに含まれる無線基地局装置、無線端末装置の構成は前述の実施の形態１と同様であるため、その説明を省略する。
【００７１】
図１４は、本実施の形態４に係る無線基地局装置１０１の変更処理部２１３が、設定方式の状態に応じて切り替えを行う報知信号及び検索応答信号のフォーマットを説明する図である。
【００７２】
「パターン１」（通常動作中）は、無線基地局装置１０１の設定状態が接続している無線端末装置が存在しない状態で、通常動作中にある場合の報知信号、検索応答信号フォーマットを示す。これは、タイムスタンプを表すTimeStamp、報知信号の送信間隔を表すBeaconIntervalを含む。またネットワーク識別子には、ステルスモードのため何も設定されていない。
【００７３】
「パターン２」は、無線基地局装置１０１の設定状態が、接続中の無線端末装置が存在していて設定ボタン１０４が押下された場合の信号フォーマットを示す。これは、タイムスタンプを表すTimeStamp、報知信号の送信間隔を表すBeaconIntervalを含む。またネットワーク識別子には、ステルスモードで隠蔽されていた通常動作の識別子である「通常動作ＥＳＳＩＤ」が設定されている。更に、第３無線パラメータ設定方式（設定方式３）を表す付加情報があることを示すElementID（設定拡張）及び「設定方式３可能付加情報」を含んでいる。
【００７４】
「パターン３」は、無線基地局装置１０１の設定状態が、設定方式３の設定が開始された場合の信号フォーマットである。これは、タイムスタンプを表すTimeStamp、報知信号の送信間隔を表すBeaconIntervalを含んでいる。またネットワーク識別子には、通常動作の識別子である「通常動作ＥＳＳＩＤ」がステルスモードに設定されている。更に、第３無線パラメータ設定方式を表す「設定方式３可能付加情報」を含んでいる。
【００７５】
「パターン４」は、無線基地局装置１０１の設定状態が、第２無線パラメータ設定方式（設定方式２）及び第３無線パラメータ設定方式（設定方式３）が待機状態している場合の信号フォーマットを示す。これはタイムスタンプを表すTimeStamp、報知信号の送信間隔を表すBeaconIntervalを含んでいる。またネットワーク識別子には、第２無線パラメータ方式が動作していることを示す識別子である「設定方式２設定用ＥＳＳＩＤ」が含まれている。更には、第３無線パラメータ設定方式を表す「設定方式３可能付加情報」を含んでいる。
【００７６】
「パターン５」は、無線基地局装置１０１の設定状態が、設定方式２の設定が開始された状態の信号フォーマットを示す。これはタイムスタンプを表すTimeStamp、報知信号の送信間隔を表すBeaconIntervalを含んでいる。またネットワーク識別子には、第２無線パラメータ方式が動作していることを示す識別子である「設定方式２設定用ＥＳＳＩＤ」が設けられている。
【００７７】
図１５は、本実施の形態４に係る無線基地局装置１０１による無線パラメータ設定方式を説明するフローチャートである。尚、この処理を実行するプログラムはＲＯＭ２０２に記憶されており、制御部２０１のＣＰＵの制御の下に実行される。
【００７８】
まずステップＳ５０１で、通常のネットワーク識別子を隠蔽したステルスモードの報知信号となるパターン１で定期的に信号を送信する。次にステップＳ５０２で、設定ボタン１０４が押下されるのを待って、押下されるとステップＳ５０３に進み、接続中の無線端末装置が存在するかどうかを調べる。ここで接続中の無線端末装置があればステップＳ５０４に進み、接続端末有フラグ（f_Assocを真に設定）をオンにするが、接続中の端末がなければステップＳ５０５に進み、接続端末有フラグ（f_Assocを偽に設定）をオフにする。
【００７９】
次にステップＳ５０６で、接続端末有フラグがオンかどうかを調べ、オンであればステップＳ５０７に進み、第３無線パラメータ設定方式（設定方式３）を受付可能にするために、ステルスモードで隠蔽していたネットワーク識別子を、設定した報知信号であるパターン２（設定方式３待機状態）に変更して送信する。そしてステップＳ５０８で、タイマによる計時を起動する。この時点では、既に接続中の無線端末装置との間の接続状態が継続される。
【００８０】
次にステップＳ５０９で、設定方式３により無線端末装置から設定要求があったか調べる。ここで設定要求があればステップＳ５１０に進み、報知信号のネットワーク識別子をステルスモードに隠蔽したパターン３（設定方式３設定開始状態）で送信する。次にステップＳ５１１で、設定方式３による設定プロトコル処理等を行う。こうしてステップＳ５１２で、設定方式３による設定が完了したかどうか調べ、完了していればステップＳ５１３に進み、タイマによる計時を停止し、ステップＳ５１９で、報知信号を最初のパターン１に戻して終了する。
【００８１】
またステップＳ５１４で、設定方式３により無線端末装置から設定要求を待つタイムアウトが発生するとステップＳ５１５に進み、報知信号をパターン５（設定方式２の設定待機状態）に変更して送信する。次にステップＳ５１６で、第２無線パラメータ設定方式（設定方式２）による設定要求を待ち、設定方式２の設定要求があればステップＳ５１７に進み、設定方式２による設定プロトコル処理等を行う。そしてステップＳ５１８で、設定方式２による設定が完了したかどうか調べ、完了していればステップＳ５１９に進み、報知信号を最初のパターン１に戻して終了する。
【００８２】
またステップＳ５０６で、無線基地局装置１０１に無線端末装置が接続されていない状態を示す、接続端末有フラグがオフの場合はステップＳ５２０に進み、設定方式２或は設定方式３の両方とも許容するために報知信号をパターン４（設定方式２，３の待機状態）で送信する。次にステップＳ５２１に進み、無線端末装置から設定方式２或は設定方式３による設定要求があったか調べる。ここで設定要求があればステップＳ５２２に進み、それぞれの設定方式２或は設定方式３のプロトコルに従って設定処理を実行する。そしてステップＳ５２３に進み、設定方式２或は設定方式３での設定処理が完了したかどうかを判断する。ここで処理を完了するとステップＳ５１９に進み、ネットワーク識別子を隠蔽したステルスモードの報知信号であるパターン１に戻して、この処理を終了する。
【００８３】
このように本実施の形態４によれば、無線基地局装置１０１がステルスモードに設定されている場合でも、無線端末装置は正しく無線基地局装置を発見して登録動作を始めることができる。
【００８４】
またステルスモードを解除する期間をなるべく短く設定することができるため、セキュリティ面と簡単な操作性の両方を兼ね備えた無線パラメータの設定方式を提供できるという効果がある。
【００８５】
（他の実施形態）
以上、本発明の実施形態について詳述したが、本発明は、複数の機器から構成されるシステムに適用しても良いし、また一つの機器からなる装置に適用しても良い。
なお、本発明は、前述した実施形態の機能を実現するソフトウェアのプログラムを、システム或いは装置に直接或いは遠隔から供給し、そのシステム或いは装置のコンピュータが該供給されたプログラムを読み出して実行することによっても達成され得る。その場合、プログラムの機能を有していれば、形態は、プログラムである必要はない。
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。
【００８６】
プログラムを供給するための記録媒体としては、様々なものが使用できる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
その他、プログラムの供給方法としては、クライアントコンピュータのブラウザを用いてインターネットのホームページに接続し、該ホームページからハードディスク等の記録媒体にダウンロードすることによっても供給できる。その場合、ダウンロードされるのは、本発明のコンピュータプログラムそのもの、もしくは圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００８７】
また、本発明のプログラムを暗号化してＣＤ−ＲＯＭ等の記憶媒体に格納してユーザに配布する形態としても良い。その場合、所定の条件をクリアしたユーザに対し、インターネットを介してホームページから暗号化を解く鍵情報をダウンロードさせ、その鍵情報を使用することにより暗号化されたプログラムが実行可能な形式でコンピュータにインストールされるようにする。
また、コンピュータが、読み出したプログラムを実行することによって、前述した実施形態の機能が実現される形態以外の形態でも実現可能である。例えば、そのプログラムの指示に基づき、コンピュータ上で稼動しているＯＳなどが、実際の処理の一部または全部を行ない、その処理によっても前述した実施形態の機能が実現され得る。
【００８８】
更に、記録媒体から読み出されたプログラムが、コンピュータに挿入された機能拡張ボードやコンピュータに接続された機能拡張ユニットに備わるメモリに書き込まれるようにしてもよい。この場合、その後で、そのプログラムの指示に基づき、その機能拡張ボードや機能拡張ユニットに備わるＣＰＵなどが実際の処理の一部または全部を行ない、その処理によって前述した実施形態の機能が実現される。
【図面の簡単な説明】
【００８９】
【図１】本発明の実施の形態に係る無線通信システムを説明する概略図である。
【図２】本実施の形態に係る無線基地局装置の構成を示すブロック図である。
【図３】本実施の形態に係る第１無線端末装置の構成を示すブロック図である。
【図４】本実施の形態に係る第２無線端末装置の構成を示すブロック図である。
【図５】本実施の形態に係る無線基地局装置の変更処理部により制御される各無線パラメータ方式の状態遷移図である。
【図６】本実施の形態１に係る無線基地局装置の変更処理部が、設定方式の状態に応じて切り替えを行う無線報知信号、及び検索要求に対する応答信号のフォーマットを説明する図である。
【図７】、
【図８】本実施の形態１に係る無線基地局装置による無線パラメータの設定処理を説明するフローチャートである。
【図９】本実施の形態１に係る無線端末装置が無線基地局装置から第３無線パラメータ設定方式で無線パラメータを獲得する場合の処理を説明するフローチャートである。
【図１０】本実施の形態２に係る無線基地局装置の変更処理部が、設定方式の状態に応じて切り替えを行う報知信号及び応答信号のフォーマットを説明する図である。
【図１１】本発明の実施の形態２に係る無線基地局装置の無線パラメータ設定方式を説明するフローチャートである。
【図１２】本発明の実施の形態３に係る無線基地局装置の変更処理部が、設定方式の状態に応じて切り替えを行う報知信号及び検索応答信号のフォーマットを説明する図である。
【図１３】本実施の形態３に係る無線基地局装置の無線パラメータの設定方式を説明するフローチャートである。
【図１４】本実施の形態４に係る無線基地局装置の変更処理部が、設定方式の状態に応じて切り替えを行う報知信号及び検索応答信号のフォーマットを説明する図である。
【図１５】本実施の形態４に係る無線基地局装置による無線パラメータ設定方式を説明するフローチャートである。
【図１】
2008035126.tif 000003
【図２】
2008035126.tif 000004
【図３】
2008035126.tif 000005
【図４】
2008035126.tif 000006
【図５】
2008035126.tif 000007
【図６】
2008035126.tif 000008
【図７】
2008035126.tif 000009
【図８】
2008035126.tif 000010
【図９】
2008035126.tif 000011
【図１０】
2008035126.tif 000012
【図１１】
2008035126.tif 000013
【図１２】
2008035126.tif 000014
【図１３】
2008035126.tif 000015
【図１４】
2008035126.tif 000016
【図１５】
2008035126.tif 000017